(57)【要約】  様々な追加の態様および代替態様が本明細書で説明される。いくつかの態様では、本開示は、ユーザ機器（ＵＥ）によるアップリンク制御情報（ＵＣＩ）処理のためのタイミング条件を決定するための技法を提供する。【選択図】  図８
2021503831.tif 000002
【特許請求の範囲】
【請求項１】
ユーザ機器（ＵＥ）によるワイヤレス通信のための方法であって、
少なくとも２つのタイプの情報についての別個の要求のための時間遅延に適用される条件が満たされるかどうかを決定することと、
前記条件の各々が満たされる場合、前記２つのタイプの情報を多重化するアップリンク送信を送ることと、
を備える、方法。
【請求項２】
前記条件のうちの少なくとも１つは、１つのタイプの情報のみが要求された場合の条件と比べて、より大きい時間遅延をもつ緩和された条件を表す、請求項１に記載の方法。
【請求項３】
前記少なくとも２つのタイプの情報は、アップリンクデータと制御情報とを備える、請求項１に記載の方法。
【請求項４】
前記制御情報は、確認応答情報またはチャネル状態フィードバック（ＣＳＦ）のうちの少なくとも１つを備える、請求項１に記載の方法。
【請求項５】
前記時間遅延のうちの１つは、
物理ダウンリンク共有チャネル（ＰＤＳＣＨ）受信の終了から前記確認応答情報を含む送信の起こり得る開始までのＵＥ処理のためのいくつかの数の直交周波数分割多重（ＯＦＤＭ）シンボル、
を備える、請求項４に記載の方法。
【請求項６】
前記時間遅延のうちの１つは、
最後のチャネル状態情報基準信号（ＣＳＩ−ＲＳ）から、前記ＣＳＦを含んでいるアップリンク送信の最初のシンボルまでの持続時間、
を備える、請求項４に記載の方法。
【請求項７】
前記制御情報は確認応答情報を備え、
前記ＵＥは、前記条件のうちの少なくとも１つが満たされない場合、前記確認応答情報のみをもち、前記データをもたないアップリンク送信を送るように構成された、
請求項４に記載の方法。
【請求項８】
前記制御情報はチャネル状態フィードバック（ＣＳＦ）を備え、
前記ＵＥは、前記条件のうちの少なくとも１つが満たされない場合、前記データのみをもち、前記ＣＳＦをもたないアップリンク送信を送るように構成された、
請求項４に記載の方法。
【請求項９】
前記少なくとも２つのタイプの情報は、確認応答情報とチャネル状態フィードバック（ＣＳＦ）とを備える、請求項１に記載の方法。
【請求項１０】
前記少なくとも２つのタイプの情報はアップリンクデータをも備える、請求項９に記載の方法。
【請求項１１】
前記ＵＥは、前記条件のうちの少なくとも１つが満たされない場合、前記タイプの情報のうちのどれを送信すべきかを選択するために１つまたは複数の優先度付けルールを適用するように構成された、請求項１に記載の方法。
【請求項１２】
ＵＥまたはネットワーク構成、あるいは標準仕様のうちの少なくとも１つは、前記優先度付けルールを規定する、請求項１１に記載の方法。
【請求項１３】
ユーザ機器（ＵＥ）によるワイヤレス通信のための装置であって、
少なくとも２つのタイプの情報についての別個の要求のための時間遅延に適用される条件が満たされるかどうかを決定するための手段と、
前記条件の各々が満たされる場合、前記２つのタイプの情報を多重化するアップリンク送信を送るための手段と、
を備える、装置。
【請求項１４】
前記条件のうちの少なくとも１つは、１つのタイプの情報のみが要求された場合の条件と比べて、より大きい時間遅延をもつ緩和された条件を表す、請求項１３に記載の装置。
【請求項１５】
前記少なくとも２つのタイプの情報が、アップリンクデータと制御情報とを備える、請求項１３に記載の装置。
【請求項１６】
前記制御情報は、確認応答情報またはチャネル状態フィードバック（ＣＳＦ）のうちの少なくとも１つを備える、請求項１３に記載の装置。
【請求項１７】
前記時間遅延のうちの１つは、
物理ダウンリンク共有チャネル（ＰＤＳＣＨ）受信の終了から前記確認応答情報を含む送信の起こり得る開始までのＵＥ処理のためのいくつかの数の直交周波数分割多重（ＯＦＤＭ）シンボル、
を備える、請求項１６に記載の装置。
【請求項１８】
前記時間遅延のうちの１つは、
最後のチャネル状態情報基準信号（ＣＳＩ−ＲＳ）から、前記ＣＳＦを含んでいるアップリンク送信の最初のシンボルまでの持続時間、
を備える、請求項１６に記載の装置。
【請求項１９】
前記制御情報は確認応答情報を備え、
前記ＵＥは、前記条件のうちの少なくとも１つが満たされない場合、前記確認応答情報のみをもち、前記データをもたないアップリンク送信を送るように構成された、
請求項１６に記載の装置。
【請求項２０】
前記制御情報はチャネル状態フィードバック（ＣＳＦ）を備え、
前記ＵＥは、前記条件のうちの少なくとも１つが満たされない場合、前記データのみをもち、前記ＣＳＦをもたないアップリンク送信を送るように構成された、
請求項１６に記載の装置。
【請求項２１】
前記少なくとも２つのタイプの情報は、確認応答情報とチャネル状態フィードバック（ＣＳＦ）とを備える、請求項１３に記載の装置。
【請求項２２】
前記少なくとも２つのタイプの情報はアップリンクデータをも備える、請求項２１に記載の装置。
【請求項２３】
前記ＵＥは、前記条件のうちの少なくとも１つが満たされない場合、前記タイプの情報のうちのどれを送信すべきかを選択するために１つまたは複数の優先度付けルールを適用するように構成された、請求項１３に記載の装置。
【請求項２４】
ＵＥまたはネットワーク構成、あるいは標準仕様のうちの少なくとも１つは、前記優先度付けルールを規定する、請求項２３に記載の装置。
【請求項２５】
ユーザ機器（ＵＥ）によるワイヤレス通信のための装置であって、
少なくとも２つのタイプの情報についての別個の要求のための時間遅延に適用される条件が満たされるかどうかを決定するように構成された、少なくとも１つのプロセッサと、
前記条件の各々が満たされる場合、前記２つのタイプの情報を多重化するアップリンク送信を送るように構成された、送信機と、
を備える、装置。
【請求項２６】
少なくとも２つのタイプの情報についての別個の要求のための時間遅延に適用される条件が満たされるかどうかを決定することと、
前記条件の各々が満たされる場合、前記２つのタイプの情報を多重化するアップリンク送信を送ることと、
を行うための命令を記憶した、コンピュータ可読媒体。
【発明の詳細な説明】
【優先権の主張】
【０００１】
米国特許法第１１９条に基づく優先権の主張
[0001]本出願は、その両方の全体が参照により本明細書に組み込まれる、２０１７年１１月１７日に出願された米国仮特許出願第６２／５８８，２７５号の優先権および利益を主張する、２０１８年１１月１５日に出願された米国出願第１６／１９２，６６９号の優先権を主張する。
【技術分野】
【０００２】
[0002]本開示のいくつかの態様は、一般にワイヤレス通信に関し、より詳細には、ワイヤレス通信システムにおけるアップリンク制御情報（ＵＣＩ）を処理するための技法に関する。
【背景技術】
【０００３】
[0003]ワイヤレス通信ネットワークは、電話、ビデオ、データ、メッセージング、ブロードキャストなどの様々な通信サービスを提供するために広く展開されている。通常、多元接続ネットワークである、そのようなネットワークは、利用可能なネットワークリソースを共有することによって複数のユーザのための通信をサポートする。そのようなワイヤレスネットワーク内では、音声、ビデオ、および電子メールを含む、様々なデータサービスが提供され得る。そのようなワイヤレス通信ネットワークに割り振られるスペクトルは、認可スペクトルおよび／または無認可スペクトルを含むことができる。モバイルブロードバンドアクセスに対する需要が高まり続けるにつれて、モバイルブロードバンドアクセスに対する増大する需要を満たすためだけでなく、モバイル通信のユーザエクスペリエンスを進化および向上させるためにも、研究および開発がワイヤレス通信技術を進化させ続けている。
【０００４】
[0004]ワイヤレスネットワークをサポートするための技術は、異なるワイヤレスデバイスが都市、国家、地域、さらには地球規模で通信することを可能にする共通プロトコルを与えるために様々な電気通信規格において採用されている。新生の電気通信規格の一例は、新しい無線（ＮＲ）、たとえば、５Ｇ無線アクセスである。ＮＲは、第３世代パートナーシッププロジェクト（３ＧＰＰ（登録商標））によって公表されたＬＴＥ（登録商標）モバイル規格の拡張のセットである。ＮＲは、スペクトル効率を改善すること、コストを下げること、サービスを改善すること、新しいスペクトルを利用すること、ならびにダウンリンク（ＤＬ）上でおよびアップリンク（ＵＬ）上でサイクリックプレフィックス（ＣＰ）とともにＯＦＤＭＡを使用して、他のオープン規格とより良く統合することによって、モバイルブロードバンドインターネットアクセスをより良くサポートし、ならびに、ビームフォーミング、多入力多出力（ＭＩＭＯ）アンテナ技術、およびキャリアアグリゲーションをサポートするように設計されている。
【０００５】
[0005]しかしながら、モバイルブロードバンドアクセスに対する需要が増加し続けるにつれて、ＮＲ技術のさらなる改善が必要である。好ましくは、これらの改善は、他の多元接続技術と、これらの技術を採用する電気通信規格とに適用可能であるべきである。
【発明の概要】
【０００６】
[0006]以下は、本開示の１つまたは複数の態様の基本的理解を与えるために、そのような態様の簡略化された概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示されるより詳細な説明の導入として、本開示の１つまたは複数の態様のいくつかの概念を簡略化された形で提示することである。
【０００７】
[0007]本開示のいくつかの態様は、ユーザ機器（ＵＥ）によるワイヤレス通信のための方法を提供する。本方法は、概して、少なくとも２つのタイプの情報についての別個の要求のための時間遅延に適用される条件が満たされるかどうかを決定することと、条件の各々が満たされる場合、２つのタイプの情報を多重化するアップリンク送信を送ることとを含む
[0008]いくつかの態様では、本開示は、添付の図面に関して本明細書で実質的に説明され、添付の図面によって示されるように、方法、装置、システム、コンピュータプログラム製品、および処理システムを提供する。
【０００８】
[0009]本発明のこれらおよび他の態様は、以下の発明を実施するための形態を検討すればより十分に理解されよう。本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明される有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明される本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【０００９】
【図１】[0010]本開示のいくつかの態様による、アクセスネットワークの一例を示す図。
【図２】[0011]本開示のいくつかの態様による、１つまたは複数の従属エンティティと通信するスケジューリングエンティティの一例を概念的に示す図。
【図３】[0012]本開示のいくつかの態様による、スケジューリングエンティティのためのハードウェア実装形態の一例を示す図。
【図４】[0013]本開示のいくつかの態様による、従属エンティティのためのハードウェア実装形態の一例を示す図。
【図５】[0014]本開示のいくつかの態様による、ダウンリンク（ＤＬ）中心サブフレームの一例を示す図。
【図６】[0015]本開示のいくつかの態様による、アップリンク（ＵＬ）中心サブフレームの一例を示す図。
【図７】[0016]本開示のいくつかの態様による、例示的なＵＥ処理時間依存ファクタを示す図
【図７Ａ】[0017]本開示のいくつかの態様による、例示的なＵＥ処理時間能力を示す図。
【図７Ｂ】本開示のいくつかの態様による、例示的なＵＥ処理時間能力を示す図。
【図８】[0018]本開示の態様による、ＵＣＩを処理するための例示的な動作を示す図。
【図９】[0019]本開示のいくつかの態様による、ＵＣＩおよびＣＳＦ報告のための例示的な処理時間を示す図。
【図１０】本開示のいくつかの態様による、ＵＣＩおよびＣＳＦ報告のための例示的な処理時間を示す図。
【図１１】本開示のいくつかの態様による、ＵＣＩおよびＣＳＦ報告のための例示的な処理時間を示す図。
【図１２】本開示のいくつかの態様による、ＵＣＩおよびＣＳＦ報告のための例示的な処理時間を示す図。
【発明を実施するための形態】
【００１０】
[0020]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にすることを回避するために、よく知られている構造および構成要素がブロック図の形態で示されている。
【００１１】
[0021]本開示全体にわたって提示される様々な概念は、多種多様な電気通信システム、ネットワークアーキテクチャ、および通信規格にわたって実装され得る。次に図１を参照すると、限定はしないが例示的な例として、アクセスネットワーク１００の簡略化された概略図が提供される。
【００１２】
[0022]アクセスネットワーク１００によってカバーされた地理的領域は、マクロセル１０２、１０４、および１０６と、スモールセル１０８とを含む、いくつかのセルラー領域（セル）に分割され得、それらの各々は、１つまたは複数のセクタを含み得る。セルは、（たとえば、カバレージエリアによって）地理的に定義され得、および／または、周波数、スクランブリングコードなどに従って定義され得る。セクタに分割されたセルにおいて、セル内の複数のセクタはアンテナのグループによって形成され得、各アンテナは、セルの一部分におけるモバイルデバイスとの通信を担当する。
【００１３】
[0023]概して、無線トランシーバ装置が各セルをサービスする。無線トランシーバ装置は、多くのワイヤレス通信システムにおいて一般に基地局（ＢＳ）と呼ばれるが、当業者によって、基地トランシーバ局（ＢＴＳ）、無線基地局、無線トランシーバ、トランシーバ機能、基本サービスセット（ＢＳＳ）、拡張サービスセット（ＥＳＳ）、アクセスポイント（ＡＰ）、ノードＢ、ｅノードＢ、または何らかの他の好適な用語で呼ばれることもある。
【００１４】
[0024]図１では、２つの高電力基地局１１０および１１２がセル１０２および１０４において示されており、第３の高出力基地局１１４が、セル１０６中のリモートラジオヘッド（ＲＲＨ）１１６を制御することが示されている。この例では、セル１０２、１０４、および１０６は、高電力基地局１１０、１１２、および１１４が、大きいサイズを有するセルをサポートするので、マクロセルと呼ばれることがある。さらに、低電力基地局１１８がスモールセル１０８（たとえば、マイクロセル、ピコセル、フェムトセル、ホーム基地局、ホームノードＢ、ホームｅノードＢなど）において示されており、スモールセル１０８は１つまたは複数のマクロセルと重複し得る。この例では、セル１０８は、低電力基地局１１８が、比較的小さいサイズを有するセルをサポートするので、スモールセルと呼ばれることがある。セルサイズ決定は、システム設計ならびに構成要素制約に従って行われ得る。アクセスネットワーク１００は、任意の数のワイヤレス基地局とセルとを含み得ることを理解されたい。基地局１１０、１１２、１１４、１１８は、任意の数のモバイル装置にコアネットワークへのワイヤレスアクセスポイントを与える。
【００１５】
[0025]図１は、基地局として機能するように構成され得るクワッドコプター（quadcopter）またはドローン１２０をさらに含む。すなわち、いくつかの例では、セルは、必ずしも固定であるとは限らないことがあり、セルの地理的エリアは、クワッドコプター１２０などのモバイル基地局のロケーションに従って移動し得る。いくつかの例では、基地局は、任意の好適なトランスポートネットワークを使用して、直接物理接続、仮想ネットワークなど、様々なタイプのバックホールインターフェースを通して、互いに、および／あるいはアクセスネットワーク１００中の１つまたは複数の他の基地局またはネットワークノード（図示せず）に相互接続され得る。
【００１６】
[0026]アクセスネットワーク１００は、複数のモバイル装置のためのワイヤレス通信をサポートすることが示されている。モバイル装置は、第３世代パートナーシッププロジェクト（３ＧＰＰ）によって公表された規格および仕様では、一般にユーザ機器（ＵＥ）と呼ばれるが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の好適な用語で呼ばれることもある。
【００１７】
[0027]本文書内で、「モバイル」装置は、必ずしも移動する能力を有する必要があるとは限らず、固定であり得る。モバイル装置のいくつかの非限定的な例は、モバイル、セルラー（セル）フォン、スマートフォン、セッション開始プロトコル（ＳＩＰ）フォン、ラップトップ、パーソナルコンピュータ（ＰＣ）、ノートブック、ネットブック、スマートブック、タブレット、および携帯情報端末（ＰＤＡ）を含む。モバイル装置は、さらに、自動車または他の輸送車両、衛星無線、全地球測位システム（ＧＰＳ）デバイス、ロジスティックスコントローラ、ドローン、マルチコプター、クワッドコプター、スマートエネルギーまたはセキュリティデバイス、ソーラーパネルまたはソーラーアレイ、都市照明、水、または他のインフラストラクチャなど、「モノのインターネット」（ＩｏＴ）デバイス；工業自動化および企業デバイス；アイウェア、ウェアラブルカメラ、スマートウォッチ、ヘルスまたはフィットネストラッカー、デジタルオーディオプレーヤ（たとえば、ＭＰ３プレーヤ）、カメラ、ゲーム機など、消費者およびウェアラブルデバイス；ならびに、ホームオーディオ、ビデオ、およびマルチメディアデバイスなどのデジタルホームまたはスマートホームデバイス、器具、センサー、自動販売機、インテリジェント照明、ホームセキュリティシステム、スマートメーターなどであり得る。
【００１８】
[0028]アクセスネットワーク１００内で、セルは、各セルの１つまたは複数のセクタと通信していることがあるＵＥを含み得る。たとえば、ＵＥ１２２および１２４は基地局１１０と通信していることがあり、ＵＥ１２６および１２８は基地局１１２と通信していることがあり、ＵＥ１３０および１３２はＲＲＨ１１６を介して基地局１１４と通信していることがあり、ＵＥ１３４は低電力基地局１１８と通信していることがあり、ＵＥ１３６はモバイル基地局１２０と通信していることがある。ここで、各基地局１１０、１１２、１１４、１１８、および１２０は、それぞれのセル中のすべてのＵＥにコアネットワーク（図示せず）へのアクセスポイントを与えるように構成され得る。別の例では、クワッドコプター１２０は、ＵＥとして機能するように構成され得る。たとえば、クワッドコプター１２０は、基地局１１０と通信することによって、セル１０２内で動作し得る。
【００１９】
[0029]アクセスネットワーク１００中のエアインターフェースは、様々なデバイスの同時通信を可能にするために、１つまたは複数の多重化および多元接続アルゴリズムを利用し得る。たとえば、ＵＥ１２２および１２４から基地局１１０へのアップリンク（ＵＬ）送信または逆方向リンク送信のための多元接続が、時分割多元接続（ＴＤＭＡ）、符号分割多元接続（ＣＤＭＡ）、周波数分割多元接続（ＦＤＭＡ）、直交周波数分割多元接続（ＯＦＤＭＡ）、または他の好適な多元接続方式を利用して与えられ得る。さらに、基地局１１０からＵＥ１２２および１２４へのダウンリンク（ＤＬ）送信または順方向リンク送信を多重化することが、時分割多重化（ＴＤＭ）、符号分割多重化（ＣＤＭ）、周波数分割多重化（ＦＤＭ）、直交周波数分割多重化（ＯＦＤＭ）、または他の適切な多重化方式を利用して与えられ得る。
【００２０】
[0030]アクセスネットワーク１００内で、スケジューリングエンティティとの呼（call）中に、または任意の他の時間において、ＵＥは、それのサービングセルからの信号の様々なパラメータ、ならびにネイバリングセルの様々なパラメータを監視し得る。さらに、これらのパラメータの品質に応じて、ＵＥは、ネイバリングセルのうちの１つまたは複数との通信を維持し得る。この時間中に、ＵＥがあるセルから別のセルに移動する場合、またはネイバリングセルからの信号品質がサービングセルからの信号品質を所与の時間の間超える場合、ＵＥは、サービングセルからネイバリング（ターゲット）セルへのハンドオフまたはハンドオーバを始め得る。たとえば、ＵＥ１２４は、それのサービングセル１０２に対応する地理的エリアから、ネイバーセル１０６に対応する地理的エリアに移動し得る。ネイバーセル１０６からの信号強度または信号品質がそれのサービングセル１０２の信号強度または信号品質を所与の時間の間超えるとき、ＵＥ１２４は、この条件を示す報告メッセージをそれのサービング基地局１１０に送信し得る。これに応答して、ＵＥ１２４はハンドオーバコマンドを受信し得、ＵＥはセル１０６へのハンドオーバを経ることがある。
【００２１】
[0031]いくつかの例では、エアインターフェースへのアクセスがスケジュールされ得、ここにおいて、スケジューリングエンティティ（たとえば、基地局）が、それのサービスエリアまたはセル内の一部または全部のデバイスおよび機器の間での通信のためのリソースを割り振る。いくつかの態様では、以下でさらに説明されるように、スケジューリングエンティティは、１つまたは複数の従属エンティティのためのリソースをスケジュールすること、割り当てること、再構成すること、および解放することを担当し得る。すなわち、スケジュールされた通信のために、従属エンティティは、スケジューリングエンティティによって割り振られたリソースを利用する。
【００２２】
[0032]基地局は、スケジューリングエンティティとして機能し得る唯一のエンティティではない。すなわち、いくつかの例では、ＵＥが、１つまたは複数の従属エンティティ（たとえば、１つまたは複数の他のＵＥ）のためのリソースをスケジュールする、スケジューリングエンティティとして機能し得る。たとえば、ＵＥ１３８は、ＵＥ１４０および１４２と通信することが示されている。この例では、ＵＥ１３８は、スケジューリングエンティティとして機能しており、ＵＥ１４０および１４２は、ワイヤレス通信のためにＵＥ１３８によってスケジュールされたリソースを利用する。ＵＥは、ピアツーピア（Ｐ２Ｐ）ネットワークにおいて、および／またはメッシュネットワークにおいてスケジューリングエンティティとして機能し得る。メッシュネットワーク例では、ＵＥ１４０および１４２は、オプションで、スケジューリングエンティティ１３８と通信することに加えて、互いと直接通信し得る。
【００２３】
[0033]したがって、時間周波数リソースへのスケジュールされたアクセスを伴い、セルラー構成と、Ｐ２Ｐ構成と、メッシュ構成とを有するワイヤレス通信ネットワークでは、スケジューリングエンティティおよび１つまたは複数の従属エンティティは、スケジュールされたリソースを利用して通信し得る。次に図２を参照すると、ブロック図２００は、スケジューリングエンティティ２０２と複数の従属エンティティ２０４とを示す。ここで、スケジューリングエンティティ２０２は、基地局１１０、１１２、１１４、および１１８に対応し得る。追加の例では、スケジューリングエンティティ２０２は、ＵＥ１３８、クワッドコプター１２０、またはアクセスネットワーク１００中の任意の他の好適なノードに対応し得る。同様に、様々な例では、従属エンティティ２０４は、ＵＥ１２２、１２４、１２６、１２８、１３０、１３２、１３４、１３６、１３８、１４０、および１４２、またはアクセスネットワーク１００中の任意の他の好適なノードに対応し得る。
【００２４】
[0034]図２に示されているように、スケジューリングエンティティ２０２は、ダウンリンクデータ２０６を１つまたは複数の従属エンティティ２０４にブロードキャストし得る（データはダウンリンクデータと呼ばれることがある）。本開示のいくつかの態様によれば、ダウンリンクという用語は、スケジューリングエンティティ２０２において発信するポイントツーマルチポイント送信を指し得る。概して、スケジューリングエンティティ２０２は、ダウンリンク通信、およびいくつかの例では、１つまたは複数の従属エンティティからスケジューリングエンティティ２０２へのアップリンクデータ２１０を含む、ワイヤレス通信ネットワーク中のトラフィックをスケジュールすることを担当するノードまたはデバイスである。このシステムについて説明するための別のやり方は、ブロードキャストチャネル多重化という用語を使用することであり得る。本開示の態様によれば、アップリンクという用語は、従属エンティティ２０４において発信するポイントツーポイント送信を指し得る。概して、従属エンティティ２０４は、スケジューリングエンティティ２０２などのワイヤレス通信ネットワーク中の別のエンティティから、限定はしないが、スケジューリング許可、同期またはタイミング情報、あるいは他の制御情報を含む、スケジューリング制御情報を受信するノードまたはデバイスである。
【００２５】
[0035]スケジューリングエンティティ２０２は、制御チャネル２０８を１つまたは複数の従属エンティティ２０４にブロードキャストし得る。アップリンクデータ２１０および／またはダウンリンクデータ２０６は、送信時間間隔（ＴＴＩ）を使用して送信され得る。ここで、ＴＴＩは、独立して復号されることが可能な、情報のカプセル化されたセットまたはパケットに対応し得る。様々な例では、ＴＴＩは、フレーム、サブフレーム、データブロック、タイムスロット、または送信のためのビットの他の好適なグループ化に対応し得る。
【００２６】
[0036]さらに、従属エンティティ２０４は、アップリンク制御情報２１２をスケジューリングエンティティ２０２に送信し得る。アップリンク制御情報（ＵＣＩ）は、パイロットと、基準信号と、アップリンクデータ送信を復号することを可能にするかまたはそれを復号するのを支援するように構成された情報とを含む、様々なパケットタイプおよびカテゴリーを含み得る。いくつかの例では、制御情報２１２は、スケジューリング要求（ＳＲ）、すなわち、アップリンク送信をスケジュールするようにとのスケジューリングエンティティ２０２への要求を含み得る。ここで、制御チャネル２１２上で送信されたＳＲに応答して、スケジューリングエンティティ２０２は、アップリンクパケットのためのＴＴＩをスケジュールし得る情報をダウンリンク制御チャネル２０８中で送信し得る。さらなる例では、アップリンク制御チャネル２１２は、確認応答（ＡＣＫ）または否定確認応答（ＮＡＣＫ）など、ハイブリッド自動再送要求（ＨＡＲＱ）フィードバック送信を含み得る。ＨＡＲＱは当業者によく知られている技法であり、ここにおいて、正確さについて受信側においてパケット送信がチェックされ得、正しいと確認された場合は、ＡＣＫが送信され得るが、正しいと確認されなかった場合は、ＮＡＣＫが送信され得る。ＮＡＣＫに応答して、送信デバイスはＨＡＲＱ再送信を送り得、ＨＡＲＱ再送信は、チェイス合成（chase combining）、インクリメンタル冗長（incremental redundancy）などを実装し得る。図２に示されているチャネルは、必ずしもスケジューリングエンティティ２０２と従属エンティティ２０４との間で利用され得るチャネルのすべてであるとは限らず、当業者は、示されたチャネルに加えて、他のデータチャネル、制御チャネル、およびフィードバックチャネルなど、他のチャネルが利用され得ることを認識されよう。
【００２７】
[0037]図３は、本開示の態様による、スケジューリングエンティティ２０２のためのハードウェア実装形態の一例を示す図３００である。スケジューリングエンティティ２０２は処理システム３１４を採用し得る。スケジューリングエンティティ２０２は、１つまたは複数のプロセッサ３０４を含む処理システム３１４を用いて実装され得る。プロセッサ３０４の例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実施するように構成された他の好適なハードウェアを含む。様々な例では、スケジューリングエンティティ２０２は、本明細書で説明される機能のうちのいずれか１つまたは複数を実施するように構成され得る。すなわち、スケジューリングエンティティ２０２において利用されるプロセッサ３０４は、本明細書で説明されるプロセスのうちのいずれか１つまたは複数を実装するために使用され得る。
【００２８】
[0038]この例では、処理システム３１４は、バス３０２によって概略的に表されるバスアーキテクチャを用いて実装され得る。バス３０２は、処理システム３１４の特定の適用例および全体的な設計制約に応じて、任意の数の相互接続バスおよびブリッジを含み得る。バス３０２は、（プロセッサ３０４によって概略的に表される）１つまたは複数のプロセッサと、メモリ３０５と、（コンピュータ可読媒体３０６によって概略的に表される）コンピュータ可読媒体とを含む、様々な回路を互いに通信可能に結合する。バス３０２はまた、タイミングソース、周辺機器、電圧調節器、および電力管理回路など、様々な他の回路をリンクし得る。バスインターフェース３０８は、バス３０２とトランシーバ３１０との間のインターフェースを与える。トランシーバ３１０は、伝送媒体を介して様々な他の装置と通信するための手段を与える。装置の性質に応じて、ユーザインターフェース３１２（たとえば、キーパッド、ディスプレイ、スピーカー、マイクロフォン、ジョイスティック）も与えられ得る。
【００２９】
[0039]少なくとも１つのプロセッサ３０４は、バス３０２を管理することと、コンピュータ可読媒体３０６に記憶されたソフトウェアの実行を含む一般的な処理とを担当する。ソフトウェアは、プロセッサ３０４によって実行されたとき、処理システム３１４に、任意の特定の装置のための以下で説明される様々な機能を実施させる。コンピュータ可読媒体３０６およびメモリ３０５はまた、ソフトウェアを実行するときにプロセッサ３０４によって操作されるデータを記憶するために使用され得る。本開示のいくつかの態様では、コンピュータ可読媒体３０６は通信命令３５２を含み得る。通信命令３５２は、本明細書で説明されるようにワイヤレス通信に関係する様々な動作（たとえば、信号受信および／または信号送信）を実施するための命令を含み得る。本開示のいくつかの態様では、コンピュータ可読媒体３０６は処理命令３５４を含み得る。処理命令３５４は、本明細書で説明されるように信号処理に関係する様々な動作（たとえば、受信された信号を処理することおよび／または送信のための信号を処理すること）を実施するための命令を含み得る。
【００３０】
[0040]少なくとも１つのプロセッサ３０４がソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体３０６上に常駐し得る。コンピュータ可読媒体３０６は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、伝送線路、ならびにコンピュータによってアクセスされ、読み取られ得るソフトウェアおよび／または命令を送信するための任意の他の好適な媒体を含み得る。コンピュータ可読媒体３０６は、処理システム３１４中に存在するか、処理システム３１４の外部に存在するか、または処理システム３１４を含む複数のエンティティにわたって分散され得る。コンピュータ可読媒体３０６はコンピュータプログラム製品において実施され得る。例として、コンピュータプログラム製品はパッケージング材料中にコンピュータ可読媒体を含み得る。特定の適用例および全体的なシステムに課される全体的な設計制約に応じて、本開示全体にわたって提示される記載の機能をどのようにしたら最も良く実装することができるかを、当業者は認識されよう。
【００３１】
[0041]本開示のいくつかの態様では、少なくとも１つのプロセッサ３０４は通信回路３４０を含み得る。通信回路３４０は、本明細書で説明されるようにワイヤレス通信に関係する様々なプロセス（たとえば、信号受信および／または信号送信）を実施する物理的構造を与える１つまたは複数のハードウェア構成要素を含み得る。本開示のいくつかの態様では、プロセッサ３０４は処理回路３４２をも含み得る。処理回路３４２は、本明細書で説明されるように信号処理に関係する様々なプロセス（たとえば、受信された信号を処理することおよび／または送信のための信号を処理すること）を実施する物理的構造を与える１つまたは複数のハードウェア構成要素を含み得る。プロセッサ３０４中に含まれる回路は、非限定的な例として与えられる。説明される機能を行うための他の手段が存在し、本開示の様々な態様内に含まれる。本開示のいくつかの態様では、コンピュータ可読媒体３０６は、本明細書で説明される様々なプロセスを実施するように構成された命令を備えるコンピュータ実行可能コードを記憶し得る。コンピュータ可読媒体３０６中に含まれる命令は、非限定的な例として与えられる。説明される機能を行うように構成された他の命令が存在し、本開示の様々な態様内に含まれる。
【００３２】
[0042]図４は、本開示の態様による、従属エンティティ２０４のためのハードウェア実装形態の一例を示す図４００である。従属エンティティ２０４は処理システム４１４を採用し得る。従属エンティティ２０４は、１つまたは複数のプロセッサ４０４を含む処理システム４１４を用いて実装され得る。プロセッサ４０４の例は、マイクロプロセッサ、マイクロコントローラ、ＤＳＰ、ＦＰＧＡ、ＰＬＤ、状態機械、ゲート論理、個別ハードウェア回路、および本開示全体にわたって説明される様々な機能を実施するように構成された他の好適なハードウェアを含む。様々な例では、従属エンティティ２０４は、本明細書で説明される機能のうちのいずれか１つまたは複数を実施するように構成され得る。すなわち、従属エンティティ２０４において利用されるプロセッサ４０４は、本明細書で説明されるプロセスのうちのいずれか１つまたは複数を実装するために使用され得る。
【００３３】
[0043]この例では、処理システム４１４は、バス４０２によって概略的に表されるバスアーキテクチャを用いて実装され得る。バス４０２は、処理システム４１４の特定の適用例および全体的な設計制約に応じて、任意の数の相互接続バスおよびブリッジを含み得る。バス４０２は、（プロセッサ４０４によって概略的に表される）１つまたは複数のプロセッサと、メモリ４０５と、（コンピュータ可読媒体４０６によって概略的に表される）コンピュータ可読媒体とを含む、様々な回路を互いに通信可能に結合する。バス４０２はまた、タイミングソース、周辺機器、電圧調節器、および電力管理回路など、様々な他の回路をリンクし得る。バスインターフェース４０８は、バス４０２とトランシーバ４１０との間のインターフェースを与える。トランシーバ４１０は、伝送媒体を介して様々な他の装置と通信するための手段を与える。装置の性質に応じて、ユーザインターフェース４１２（たとえば、キーパッド、ディスプレイ、スピーカー、マイクロフォン、ジョイスティック）も与えられ得る。
【００３４】
[0044]少なくとも１つのプロセッサ４０４は、バス４０２を管理することと、コンピュータ可読媒体４０６に記憶されたソフトウェアの実行を含む一般的な処理とを担当する。ソフトウェアは、プロセッサ４０４によって実行されたとき、処理システム４１４に、任意の特定の装置のための以下で説明される様々な機能を実施させる。コンピュータ可読媒体４０６およびメモリ４０５はまた、ソフトウェアを実行するときにプロセッサ４０４によって操作されるデータを記憶するために使用され得る。本開示のいくつかの態様では、コンピュータ可読媒体４０６は通信命令４５２を含み得る。通信命令４５２は、本明細書で説明されるようにワイヤレス通信に関係する様々な動作（たとえば、信号受信および／または信号送信）を実施するための命令を含み得る。本開示のいくつかの態様では、コンピュータ可読媒体４０６は処理命令４５４を含み得る。処理命令４５４は、本明細書で説明されるように信号処理に関係する様々な動作（たとえば、受信された信号を処理することおよび／または送信のための信号を処理すること）を実施するための命令を含み得る。
【００３５】
[0045]少なくとも１つのプロセッサ４０４がソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体４０６上に常駐し得る。コンピュータ可読媒体４０６は非一時的コンピュータ可読媒体であり得る。非一時的コンピュータ可読媒体は、例として、磁気ストレージデバイス（たとえば、ハードディスク、フロッピーディスク、磁気ストリップ）、光ディスク（たとえば、ＣＤまたはＤＶＤ）、スマートカード、フラッシュメモリデバイス（たとえば、カード、スティック、またはキードライブ）、ＲＡＭ、ＲＯＭ、ＰＲＯＭ、ＥＰＲＯＭ、ＥＥＰＲＯＭ、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、伝送線路、ならびにコンピュータによってアクセスされ、読み取られ得るソフトウェアおよび／または命令を送信するための任意の他の好適な媒体を含み得る。コンピュータ可読媒体４０６は、処理システム４１４中に存在するか、処理システム４１４の外部に存在するか、または処理システム４１４を含む複数のエンティティにわたって分散され得る。コンピュータ可読媒体４０６はコンピュータプログラム製品において実施され得る。例として、コンピュータプログラム製品はパッケージング材料中にコンピュータ可読媒体を含み得る。特定の適用例および全体的なシステムに課される全体的な設計制約に応じて、本開示全体にわたって提示される記載の機能をどのようにしたら最も良く実装することができるかを、当業者は認識されよう。
【００３６】
[0046]本開示のいくつかの態様では、少なくとも１つのプロセッサ４０４は通信回路４４０を含み得る。通信回路４４０は、本明細書で説明されるようにワイヤレス通信に関係する様々なプロセス（たとえば、信号受信および／または信号送信）を実施する物理的構造を与える１つまたは複数のハードウェア構成要素を含み得る。本開示のいくつかの態様では、プロセッサ４０４は処理回路４４２をも含み得る。処理回路４４２は、本明細書で説明されるように信号処理に関係する様々なプロセス（たとえば、受信された信号を処理することおよび／または送信のための信号を処理すること）を実施する物理的構造を与える１つまたは複数のハードウェア構成要素を含み得る。プロセッサ４０４中に含まれる回路は、非限定的な例として与えられる。説明される機能を行うための他の手段が存在し、本開示の様々な態様内に含まれる。本開示のいくつかの態様では、コンピュータ可読媒体４０６は、本明細書で説明される様々なプロセスを実施するように構成された命令を備えるコンピュータ実行可能コードを記憶し得る。コンピュータ可読媒体４０６中に含まれる命令は、非限定的な例として与えられる。説明される機能を行うように構成された他の命令が存在し、本開示の様々な態様内に含まれる。
【００３７】
[0047]図５は、ＤＬ中心（ＤＬ−centric）サブフレームの一例を示す図５００である。ＤＬ中心サブフレームは制御部分５０２を含み得る。制御部分５０２は、ＤＬ中心サブフレームの初期部分または開始部分中に存在し得る。制御部分５０２は、ＤＬ中心サブフレームの様々な部分に対応する様々なスケジューリング情報および／または制御情報を含み得る。いくつかの構成では、制御部分５０２は、図５に示されているように、物理ＤＬ制御チャネル（ＰＤＣＣＨ）であり得る。ＤＬ中心サブフレームは、ＤＬデータ部分５０４をも含み得る。ＤＬデータ部分５０４は、時々、ＤＬ中心サブフレームのペイロードと呼ばれることがある。ＤＬデータ部分５０４は、スケジューリングエンティティ２０２（たとえば、ｅＮＢ）から従属エンティティ２０４（たとえば、ＵＥ）にＤＬデータを通信するために利用される通信リソースを含み得る。いくつかの構成では、ＤＬデータ部分５０４は、物理ＤＬ共有チャネル（ＰＤＳＣＨ）であり得る。
【００３８】
[0048]ＤＬ中心サブフレームは、共通ＵＬ部分５０６をも含み得る。共通ＵＬ部分５０６は、時々、ＵＬバースト、共通ＵＬバースト、および／または様々な他の好適な用語で呼ばれることがある。共通ＵＬ部分５０６は、ＤＬ中心サブフレームの様々な他の部分に対応するフィードバック情報を含み得る。たとえば、共通ＵＬ部分５０６は、制御部分５０２に対応するフィードバック情報を含み得る。フィードバック情報の非限定的な例は、ＡＣＫ信号、ＮＡＣＫ信号、ＨＡＲＱインジケータ、および／または様々な他の好適なタイプの情報を含み得る。共通ＵＬ部分５０６は、ランダムアクセスチャネル（ＲＡＣＨ）プロシージャに関係する情報、スケジューリング要求（ＳＲ）、および様々な他の好適なタイプの情報など、追加または代替の情報を含み得る。図５に示されているように、ＤＬデータ部分５０４の終端は、共通ＵＬ部分５０６の始端から時間的に分離され得る。この時間分離は、時々、ギャップ、ガード期間、ガードインターバル、および／または様々な他の好適な用語で呼ばれることがある。この分離は、ＤＬ通信（たとえば、従属エンティティ２０４（たとえば、ＵＥ）による受信動作）からＵＬ通信（たとえば、従属エンティティ２０４（たとえば、ＵＥ）による送信）への切替えのための時間を与える。当業者は、上記がＤＬ中心サブフレームの一例にすぎず、同様の特徴を有する代替構造が、本明細書で説明される態様から必ずしも逸脱することなしに存在し得ることを理解されよう。
【００３９】
[0049]図６は、ＵＬ中心（ＵＬ−centric）サブフレームの一例を示す図６００である。ＵＬ中心サブフレームは制御部分６０２を含み得る。制御部分６０２は、ＵＬ中心サブフレームの初期部分または開始部分中に存在し得る。図６中の制御部分６０２は、図５を参照しながら上記で説明された制御部分５０２と同様であり得る。ＵＬ中心サブフレームはＵＬデータ部分６０４をも含み得る。ＵＬデータ部分６０４は、時々、ＵＬ中心サブフレームのペイロードと呼ばれることがある。いくつかの態様では、ＵＬデータ部分６０４は、ＵＬ通常部分（UL regular portion）６０４と呼ばれることもある。特に、ＵＬ通常部分６０４は、いくつかの態様では、データを含むことに限定されないことがあり、制御情報、サウンディング基準信号（ＳＲＳ）など、他の情報を含み得る。そのＵＬ部分は、従属エンティティ２０４（たとえば、ＵＥ）からスケジューリングエンティティ２０２（たとえば、ｅＮＢ）にＵＬデータを通信するために利用される通信リソースを指し得る。いくつかの構成では、制御部分６０２は、物理ＵＬ共有チャネル（ＰＵＳＣＨ）、物理ＵＬ制御チャネル（ＰＵＣＣＨ）であり得、および／またはサウンディング基準信号（ＳＲＳ）を含み得る。図６に示されているように、制御部分６０２の終端は、ＵＬデータ部分６０４の始端から時間的に分離され得る。この時間分離は、時々、ギャップ、ガード期間、ガードインターバル、および／または様々な他の好適な用語で呼ばれることがある。この分離は、ＤＬ通信（たとえば、スケジューリングエンティティ２０２（たとえば、ＵＥ）による受信動作）からＵＬ通信（たとえば、スケジューリングエンティティ２０２（たとえば、ＵＥ）による送信）への切替えのための時間を与える。ＵＬ中心サブフレームは共通ＵＬ部分６０６をも含み得る。図６中の共通ＵＬ部分６０６は、図５を参照しながら上記で説明された共通ＵＬ部分５０６と同様であり得る。共通ＵＬ部分５０６は、チャネル品質インジケータ（ＣＱＩ）に関係する追加または代替の情報、サウンディング基準信号（ＳＲＳ）、および様々な他の好適なタイプの情報を含み得る。当業者は、上記がＵＬ中心サブフレームの一例にすぎず、同様の特徴を有する代替構造が、本明細書で説明される態様から必ずしも逸脱することなしに存在し得ることを理解されよう。
【００４０】
[0050]本開示の態様によれば、アップリンク制御情報をフレーム中に含め、アップリンク制御情報を含む当該フレームを送信するための技法が、提供される。たとえば、ＵＥが、ＵＬチャネル上でｅＮＢにＴＴＩ（たとえば、サブフレーム）中でＵＣＩを送信し得る。いくつかの態様では、アップリンク制御情報（たとえば、ＵＣＩのペイロード）が、スケジューリング要求（ＳＲ）、確認応答メッセージ（ＡＣＫ）（および／または同様に否定確認応答メッセージ（ＮＡＣＫ））、およびチャネル品質インジケータ（ＣＱＩ）のうちの１つまたは複数を含み得る。ＡＣＫが本明細書で説明されるとき、同様の技法が、ＮＡＣＫをＵＣＩ中に含めることに適用され得ることに留意されたい。
【００４１】
[0051]いくつかの態様では、ＵＣＩが、図６のＵＬ中心サブフレームなど、ＵＬ中心サブフレーム中でＵＬ上で送られ得る。たとえば、ＵＣＩは、ＵＬ中心サブフレームのＵＬ通常部分（たとえば、ＵＬ通常部分（UL regular portion）６０４）および／または共通ＵＬ部分（たとえば、共通ＵＬ部分６０６）中で送られ得る。追加または代替として、ＵＣＩは、ＤＬ中心サブフレームの共通ＵＬ部分（たとえば、共通ＵＬ部分５０６）中でＵＬ上で送られ得る。ＵＬ中心サブフレームのＵＬ通常部分上でのデータ（たとえば、ＵＣＩ）の送信は、ＵＬ通常バースト通信と呼ばれることがある。ＵＬ中心サブフレームおよび／またはＤＬ中心サブフレームの共通ＵＬ部分上でのデータ（たとえば、ＵＣＩ）の送信は、ＵＬ共通バースト通信と呼ばれることがある。
【００４２】
ＵＣＩ多重化のためのＵＥ処理時間
[0052]本開示の態様は、アップリンク制御情報（ＵＣＩ）送信のためのＵＥ処理タイミングのための提案を提供する。いくつかの場合には、そのようなＵＣＩ送信は、チャネル状態フィードバック（ＣＳＦ）報告、ＡＣＫ／ＮＡＣＫビット、および／あるいは他のタイプの情報またはデータを含み得る。
【００４３】
[0053]以下でより詳細に説明されるように、いくつかの場合には、ＵＥが、アップリンク送信においてある情報（たとえば、ＡＣＫ／ＮＡＣＫ、ＣＳＦ、および／またはデータ）を多重化することを可能にするために、タイミング条件が緩和され得る。この緩和（relaxation）は、たとえば、制御情報のみが送信されるべきであるときの、ベースラインタイミング条件に関係し得る。いくつかの場合には、ＵＥが、様々なタイプの要求のためのタイミング条件を評価し、すべてのタイミング条件が満たされる場合のみ、要求された情報を多重化することを決定し得る。条件のうちの１つが満たされない場合、ＵＥは、（たとえば、いくつかのタイプの優先度付けルールに基づいて）どの情報を送信し、どれをドロップすべきかを決定し得る。
【００４４】
[0054]ＮＲでは、ＵＥがＡＣＫ／ＮＡＫおよびＣＳＦ報告についての要求をある処理時間内に処理するために、いくつかの仕様ルールが与えられ得る。ルールは、たとえば、所与の処理能力をもつＵＥが、要求を処理するために十分な時間を有することを確実にするように設計され得る。この処理は、要求されたＡＣＫ／ＮＡＣＫフィードバックを与えるためにＰＤＳＣＨ送信を処理することと、ＣＳＦを生成するためにＣＳＩ−ＲＳ送信を測定することと、アップリンクグラントに応答してアップリンクデータを処理／生成することとを含み得る。ルールのこの使用は、要求を報告するときに効率的にレイテンシを低減するようにネットワークがシグナリングするために、ＵＥ処理時間が明確に定義されることを可能にする。
【００４５】
[0055]ＮＲなど、いくつかの展開では、（１つまたは複数の）ＵＥ処理時間が、スロット（たとえば、Ｎ１およびＮ２に対応するＫ１およびＫ２スロットレベル値）の代わりに、シンボル（Ｎ１、Ｎ２）に関して、および／または絶対時間（たとえば、μｓ単位）に関して定義され得、ここで、以下の通りである。
【００４６】
Ｎ１：ＵＥの観点から、ＰＤＳＣＨ受信の終了から、対応するＡＣＫ／ＮＡＣＫ送信の最も早期に起こり得る開始までのＵＥ処理のために必要とされるＯＦＤＭシンボルの数
Ｎ２：ＵＥの観点から、ＵＬ許可（グラント）受信を含んでいるＰＤＣＣＨの終了から、対応するＰＵＳＣＨ送信の最も早期に起こり得る開始までのＵＥ処理のために必要とされるＯＦＤＭシンボルの数
いくつかの場合には、タイミングアドバンス（ＴＡ：timing advance）がＮ１およびＮ２中に含まれないことがある。ＵＥ  ＵＬ／ＤＬ切替え時間など、他の態様をＮ１およびＮ２中に含めるべきかどうが、決定され得る。ＵＥは、ネットワークが、ＵＥ処理のための十分な時間を残すことなしに、Ｎ１および／またはＮ２の値（Ｋ１および／またはＫ２）を設定した場合、アップリンク中で何かを送信することを予想されないことがある。言い換えれば、ＵＥは、要求された情報についての有効値を生成するための十分な処理時間を有しないことがある。様々なファクタが、ＵＥ処理時間に影響を及ぼし得る
[0056]図７は、本開示のいくつかの態様による、例示的なＵＥ処理時間依存ファクタを示す。動作条件のセットについて、２つの異なるＵＥ能力を表す２つの最小（Ｋ１、Ｋ２）値が、少なくともスロットベースのスケジューリングのためにサポートされ得る。
【００４７】
[0057]動作条件のセットは、少なくとも、図７に示されている表の内容および注（note）と、図７Ａおよび図７Ｂに示されている表の第１の列（ＤＭＲＳ、ＰＵＳＣＨのためのＲＥマッピング）および第１の行（ＳＣＳ）とを含む。最小値（Ｋ１、Ｋ２）の各々は、それぞれのＵＥターンアラウンド時間（Ｎ１、Ｎ２）の仮定に基づき得る。所与の構成およびヌメロロジー（たとえば、サブキャリア間隔および／またはＣＰ長）について、ＵＥは、いずれかの表からのＮ１およびＮ２のための対応するエントリに基づいて、Ｎ１およびＮ２のための１つの能力のみを示し得る。いくつかの場合には、複数のＵＥ能力が、たとえば、異なるスループット制約とともに報告され得る。いくつかの場合には、ＵＥは、（Ｎ１、Ｎ２）または（Ｋ１、Ｋ２）に基づくそれの処理能力を示す情報をシグナリングし得る。
【００４８】
[0058]図７Ａの表は、ＰＤＣＣＨ、ＰＤＳＣＨ、およびＰＵＳＣＨのための単一のヌメロロジーをもつ非ＣＡの場合の少なくともスロットベーススケジューリングについて、（たとえば、ＮＲリリース１５における）ベースラインＵＥ処理時間能力と見なされ得る値を含む。一方、図７Ｂの表は、ＰＤＣＣＨ、ＰＤＳＣＨ、およびＰＵＳＣＨのための単一のヌメロロジーをもつ非ＣＡの場合の少なくともスロットベーススケジューリングについて、アグレッシブＵＥ処理時間能力と見なされ得る値を含む。
【００４９】
[0059]図８は、本開示の態様による、ＵＣＩを処理するためにＵＥによって実施され得る例示的な動作８００を示す。動作８００は、たとえば、図３のスケジューリングエンティティとして構成された基地局からの要求に基づいてＵＣＩを処理するために図４の従属エンティティとして構成されたＵＥによって実施され得る。
【００５０】
[0060]動作８００は、８０２において、少なくとも２つのタイプの情報についての別個の要求のための時間遅延に適用される条件が満たされるかどうかを決定することによって、開始する。８０４において、ＵＥは、条件の各々が満たされる場合、２つのタイプの情報を多重化するアップリンク送信を送る。
【００５１】
[0061]いくつかの場合には、複数のタイプの情報を多重化することは、スケジューリングおよび割り振られたリソースに依存して、リソースの効率的な使用につながり得る。たとえば、いくつかの場合には、ＵＥが、別のＰＵＣＣＨおよび／またはＰＵＳＣＨ送信のために割り振られたリソースと重複する、ＰＵＣＣＨ送信のためのリソースを用いて（with）スケジュールされ得る。そのような場合、対応する情報（ＵＣＩ、ＣＳＦ、および／またはデータ）は、単一の（ＰＵＣＣＨまたはＰＵＳＣＨ）送信において効率的に多重化され得る。しかしながら、いくつかの場合には、異なるタイプの情報を単一のアップリンク送信において多重化し、依然として各個々の情報要求のタイミング条件（Ｎ１、Ｎ２、および／またはＮ３）を満たすために、これらの条件のうちの１つまたは複数が緩和される必要があり得る。いくつかの場合には、特定のタイミング条件は、少なくとも部分的に、ＵＥ能力および／または（たとえば、スケジューリング情報を搬送するダウンリンクの、または要求された情報を搬送するアップリンクの）サブキャリア間隔などの他のファクタに依存し得る。
【００５２】
[0062]図９〜図１２は、本開示のいくつかの態様による、ＵＣＩおよびＣＳＦ報告のための例示的な処理時間を示す。たとえば、図９〜図１２は、上記で説明された動作８００を実施するＵＥによって考慮され得る、様々な条件を示す。上述のように、処理タイムラインのうちのいくつかは、制御情報のみを報告するための処理タイムラインのベースライン条件と比較して緩和されたと見なされ得る。
【００５３】
[0063]本開示のいくつかの態様は、ＰＵＣＣＨ上で報告されるべきＣＳＦのＵＥ処理についての提案を提供する。いくつかの場合には、タイミングパラメータＮ３が、ＵＥ処理タイミングのために特徴づけられ、使用され得る。たとえば、ＣＱＩ報告処理時間が、スロットＹの代わりにシンボルＮ３に関して定義され得る。
【００５４】
[0064]図９に示されているように、Ｎ３は、測定されるべき最後の（last）ＣＳＩ−ＲＳを搬送するシンボルから、報告（ＣＳＦ）を含んでいるＰＵＣＣＨの最初のシンボルまでの持続時間（シンボル単位）として定義され得る。この同じタイミングは、（たとえば、スケジュールされるデータがないときに）ＰＵＳＣＨ上で搬送されるＵＣＩにも対応し得る。いくつかの場合には、Ｎ３の値は、サブキャリア間隔（ＳＣＳ）ごとのＵＥ能力であり得る。そのような場合、規格において明示的な表の必要がないことがある。Ｎ３は、ＴＡを含まないことがあり、これは、ＵＥのための処理要件をより明らかに得る。ＴＡに限界を課す必要がないこともある。しかしながら、いくつかの場合には、ＴＡ値とＮ３との合計（ＴＡ＋Ｎ３）が（たとえば、ｇＮＢによって割り当てられる）ある時間を超える場合、ＵＥは報告を送らないことがある。いくつかの場合には、ＵＥは、Ｎ３をミニスロット中のＣＳＩ−ＲＳおよびＰＵＣＣＨ／ＰＵＳＣＨに適用し得る。
【００５５】
[0065]図１０に示されているように、いくつかの場合には、単一のＰＵＳＣＨ送信においてＡＣＫとＵＬデータとを一緒に多重化するときの処理時間のために、パラメータＮ１’が使用され得る。Ｎ１’は、Ｎ１の緩和された（relaxed）バージョンと見なされ得、ＡＣＫのみをもつＰＵＣＣＨのベースラインの場合のために示されている従来のＮ１よりも長い、対応する遅延をもつ。図１０に示されているように、ＰＵＳＣＨは、Ｎ２タイミング条件とＮ１’タイミング条件の両方が満たされる場合のみ、ＡＣＫとデータとをピギーバック（piggyback）し得る。他の場合、ＵＥは、ＡＣＫ情報のみ（たとえば、ＮＡＫ）を送り得る。
【００５６】
[0066]図１１に示されているように、Ｎ１’と同様の様式で、単一のＰＵＳＣＨにおいてＣＳＦとＵＬデータとを多重化するときのＵＥ処理時間のために、パラメータの緩和されたバージョンＮ３’が使用され得る。図１１に示されているように、Ｎ２とＮ３’の両方についてのタイミング条件が満たされる場合、ＵＬデータとともにＣＳＦをピギーバックするために、ＰＵＳＣＨが使用され得る。他の場合、ＵＥは、許可されたＰＵＳＣＨ送信においてＣＳＦを送ることを無視し（ＣＳＦをドロップし）、データのみを送ることを選び得る。
【００５７】
[0067]図１２に示されているように、いくつかの場合には、ＣＳＦとＡＣＫ情報の両方を多重化するときのＵＥ処理時間のために、パラメータＮ１’とパラメータＮ３’の両方が使用され得る。図１２に示されているように、Ｎ１’タイミング条件とＮ３’タイミング条件の両方が満たされる場合、ＣＳＦとＡＣＫ情報とを多重化するために、ＰＵＣＣＨが使用され得る。他の場合、ＵＥは、たとえば、優先度付けに従って、ＡＣＫまたはＣＳＦのいずれか１つを送ることを無視することができる。データ多重化では、ＵＬデータも同じ送信中に含まれる場合、ＵＥは、さらに、（たとえば、データが、他のものを上回って優先度を付けられるように）Ｎ２が満たされることを確かめる必要があり得る。
【００５８】
[0068]タイミング条件のうちの１つが満たされないとき、どのタイプの情報を送る（およびドロップする）べきかを決定するためにＵＥが適用し得る、優先度付けルールを伝達するための多くの可能な技法がある。たとえば、ＵＥは、（たとえば、規格団体による）仕様によって、行われる第１の要求についての情報に従い、その情報を与えるように命令され得る。代替的に、ＵＥは、（一方または両方のタイミング条件が満たされないなど）両方の要求が競合して行われる場合、それらをドロップすることを可能にされ得る。さらに別の代替形態として、ＵＥは、そのような競合をどのように処理するかを決定し得、ｇＮＢは、ＵＥがどんな情報を送ることを決定したかを決定するためにブラインド復号することを必要とされ得る。
【００５９】
[0069]いくつかの構成では、「通信する」、「通信すること」、および／または「通信」という（１つまたは複数の）用語は、本開示の範囲から必ずしも逸脱することなしに、「受信する」、「受信すること」、「受信」、および／あるいは他の関係するまたは好適な態様を指し得る。いくつかの構成では、「通信する」、「通信すること」、および／または「通信」という（１つまたは複数の）用語は、本開示の範囲から必ずしも逸脱することなしに、「送信する」、「送信すること」、「送信」、および／あるいは他の関係するまたは好適な態様を指し得る。
【００６０】
[0070]例示的な実装形態を参照して、ワイヤレス通信ネットワークのいくつかの態様が提示された。当業者が容易に諒解するように、本開示全体にわたって説明された様々な態様は、他の電気通信システム、ネットワークアーキテクチャおよび通信規格に拡張され得る。例として、様々な態様は、ＬＴＥ、発展型パケットシステム（ＥＰＳ）、ユニバーサルモバイルテレコミュニケーションシステム（ＵＭＴＳ）、および／またはモバイル用グローバルシステム（ＧＳＭ（登録商標））など、３ＧＰＰによって定義された他のシステム内で実装され得る。様々な態様はまた、ＣＤＭＡ２０００および／またはエボリューションデータオプティマイズド（ＥＶ−ＤＯ）など、第３世代パートナーシッププロジェクト２（３ＧＰＰ２）によって定義されたシステムに拡張され得る。他の例は、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、ウルトラワイドバンド（ＵＷＢ）、Ｂｌｕｅｔｏｏｔｈ（登録商標）を採用するシステム、および／または他の好適なシステム内に実装され得る。採用される実際の電気通信規格、ネットワークアーキテクチャ、および／または通信規格は、特定の適用例およびシステムに課される全体的な設計制約に依存することになる。
【００６１】
[0071]本開示内で、「例示的」という単語は、「例、事例、または例示の働きをすること」を意味するために使用される。「例示的」として本明細書で説明されたいかなる実装形態または態様も、必ずしも本開示の他の態様よりも好適または有利であると解釈されるべきであるとは限らない。同様に、「態様」という用語は、本開示のすべての態様が、説明された特徴、利点、または動作モードを含むことを必要としない。「結合される」という用語は、本明細書では、２つの物体間の直接的または間接的結合を指すために使用される。たとえば、物体Ａが物体Ｂに物理的に接触し、物体Ｂが物体Ｃに接触する場合、物体Ａと物体Ｃとは、それらが互いに直接物理的に接触しない場合でも、やはり互いに結合されていると見なされ得る。たとえば、第１の物体が第２の物体と決して直接物理的に接触しない場合でも、第１の物体は第２の物体に結合され得る。「回路（circuit）」および「回路（circuitry）」という用語は、広く使用され、接続および構成されたとき、電子回路のタイプに関する限定なしに、本開示で説明された機能の実施を可能にする電気デバイスおよび導体のハードウェア実装形態、ならびにプロセッサによって実行されたとき、本開示で説明された機能の実施を可能にする情報および命令のソフトウェア実装形態の両方を含むものとする。
【００６２】
[0072]本明細書に示されている構成要素、ステップ、特徴および／または機能のうちの１つまたは複数は、単一の構成要素、ステップ、特徴または機能に再構成されおよび／または組み合わせられるか、あるいはいくつかの構成要素、ステップ、または機能で実施され得る。また、本明細書で開示される新規の特徴から逸脱することなく追加の要素、構成要素、ステップ、および／または機能が追加され得る。本明細書に示されている装置、デバイス、および／または構成要素は、本明細書で説明された方法、特徴、またはステップのうちの１つまたは複数を実施するように構成され得る。本明細書で説明された新規のアルゴリズムはまた、効率的にソフトウェアで実装されおよび／またはハードウェアに組み込まれ得る。たとえば、図８に示されている様々な動作は、図３または図４に示されている様々なプロセッサによって実施され得る。
【００６３】
[0073]開示される方法におけるステップの特定の順序または階層は、例示的なプロセスの一例であることを理解されたい。設計上の選好に基づいて、本方法におけるステップの特定の順序または階層は並べ替えられ得ることを理解されたい。添付の方法クレームは、様々なステップの要素を例示的な順序で提示しており、方法クレーム中で特に具陳されていない限り、提示された特定の順序または階層に限定されるものではない。
【００６４】
[0074]以上の説明は、当業者が本明細書で説明された様々な態様を実施できるようにするために与えられた。これらの態様への様々な変更は当業者には容易に明らかであり、本明細書で定義された一般的原理は他の態様に適用され得る。したがって、特許請求の範囲は、本明細書に示された態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃを包含するものとする。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
【図１】
2021503831.tif 000003
【図２】
2021503831.tif 000004
【図３】
2021503831.tif 000005
【図４】
2021503831.tif 000006
【図５】
2021503831.tif 000007
【図６】
2021503831.tif 000008
【図７】
2021503831.tif 000009
【図７Ａ】
2021503831.tif 000010
【図７Ｂ】
2021503831.tif 000011
【図８】
2021503831.tif 000012
【図９】
2021503831.tif 000013
【図１０】
2021503831.tif 000014
【図１１】
2021503831.tif 000015
【図１２】
2021503831.tif 000016
【国際調査報告】
2021503831.tif 000017
2021503831.tif 000018
2021503831.tif 000019